(57)【要約】【課題】トラス装置の切欠き部の下方に形成される機械室内のデッドスペースを、作業のために有効に活用させることができる乗客コンベアの提供。【解決手段】一対の建屋梁２ａ，２ｂのそれぞれに支持されるトラス装置１の両端の支持部１ａ，１ｂのうちの少なくとも一方の支持部、例えば支持部１ｂに形成され、下方に向かうに従って対応する建屋梁１ｂから離れる方向に傾斜する切欠き部３の直下の投影面積内に配置可能であるとともに、トラス装置１内に収納可能な作業パレット５を備えた構成にしてある。また、この作業パレット５を回動可能にトラス装置１に連結する固定金具６と、一端が作業パレット５に連結され、他端が切欠き部３を形成するトラス装置１の傾斜部に連結され、作業パレット５を水平状態に保持可能なリンク機構から成る連結部材７を備えている。【選択図】図１
2009234733.tif 000002
【特許請求の範囲】
【請求項１】
一対の建屋梁のそれぞれに支持される両端の支持部のうちの少なくとも一方の支持部の近傍に、下方に向かうに従って対応する建屋梁から離れる方向に傾斜する切欠き部を有するトラス装置を備えた乗客コンベアにおいて、
前記トラス装置に接続され、このトラス装置の前記切欠き部直下の投影範囲内に配置可能であるとともに、前記トラス装置内に収納可能な作業パレットを設けたことを特徴とする乗客コンベア。
【請求項２】
前記請求項１記載の乗客コンベアにおいて、
前記作業パレットを、前記切欠き部の下端部近傍において前記トラス装置に回動可能に連結する固定金具と、
一端が前記作業パレットに連結され、他端が前記切欠き部を形成する前記トラス装置の傾斜部に連結され、前記作業パレットを水平状態に保持可能であるとともに、前記作業パレットを前記トラス装置内に収納するために回動させた際に、前記作業パレットの回動に伴って前記トラス装置内に収納可能な連結部材とを備えたことを特徴とする乗客コンベア。
【請求項３】
前記請求項１記載の乗客コンベアにおいて、
前記連結部材は、リンク機構、チェーン、及びプランジャのうちの１つから成ることを特徴とする乗客コンベア。
【請求項４】
前記請求項２または３記載の乗客コンベアにおいて、
前記トラス装置に、前記作業パレットを前記トラス装置内に収納するために回動させた際に、前記作業パレットを前記切欠き部を形成する前記トラス装置の傾斜部に沿って配置されるように、この作業パレットの前記回動を規制するストッパを設けたことを特徴とする乗客コンベア。
【発明の詳細な説明】
【技術分野】
【０００１】
本発明は、建屋梁に支持されるトラス装置を有するエスカレータや動く歩道等の乗客コンベアに関する。
【背景技術】
【０００２】
従来、エスカレータや動く歩道等の乗客コンベアは、その据付け時に、乗客を乗せる踏段や乗客が把持する移動手摺り等を含む欄干部材を、トラス装置に組み込んで乗客コンベアを組み上げ、その組み上げた乗客コンベアを吊り上げ、建屋梁に支持させるようにして据付けを行なっている。トラス装置には、一対の建屋梁のそれぞれに支持される両端の支持部のうちの少なくとも一方の支持部、例えば下方トラス側に位置する支持部の近傍に、対応する建屋梁から離れる方向に傾斜する切欠き部が設けられている。この切欠き部の形成によって、乗客コンベアを吊り上げて行なわれる据付け時には、その切欠き部が設けられている側のトラス装置の端部と、この端部側のトラス装置の支持部を支持する建屋梁とが干渉することなく、一対の建屋梁間を乗客コンベアが通過可能になり、この乗客コンベアの据付けを支障なく行なうことができる（特許文献１参照）。
【特許文献１】特開２００４−５１２９２公報
【発明の開示】
【発明が解決しようとする課題】
【０００３】
前述の従来技術では、トラス装置に形成される切欠き部の下方部分には足場が無く、この切欠き部の下方部分が機械室内のデッドスペースを形成しており、トラス装置の直上部に人が乗り込もうとしたり、装置部品を設置しようとする作業が煩雑なものとなっていた。
【０００４】
本発明は、前述した従来技術における実状に鑑みてなされたもので、その目的は、トラス装置の切欠き部の下方に形成される機械室内のデッドスペースを、作業のために有効に活用させることができる乗客コンベアを提供することにある。
【課題を解決するための手段】
【０００５】
前記目的を達成するために、本発明は、一対の建屋梁のそれぞれに支持される両端の支持部のうちの少なくとも一方の支持部の近傍に、下方に向かうに従って対応する建屋梁から離れる方向に傾斜する切欠き部を有するトラス装置を備えた乗客コンベアにおいて、前記トラス装置に接続され、このトラス装置の前記切欠き部直下の投影範囲内に配置可能であるとともに、前記トラス装置内に収納可能な作業パレットを設けたことを特徴としている。
【０００６】
このように構成した本発明は、乗客コンベアを吊り上げて建屋梁に据付ける際には、トラス装置内に作業パレットを収納することにより、トラス装置の切欠き部から作業パレットが突出しない状態に保つことができ、作業パレットが建屋梁に干渉することがなく、トラス装置を備えた乗客コンベアを支障なく建屋梁に支持させることができる。作業パレットはトラス装置の切欠き部直下の投影面積内に配置される形状寸法であることから、トラス装置内に確実に収納させることができる。
【０００７】
また、建屋梁にトラス装置が支持されて据付けられた乗客コンベアにおいて、トラス装置の切欠き部の直上に乗り込んだり、切欠き部の直上に装置部品を設置しようとする作業を行なうときには、トラス装置内に収納していた作業パレットを引き出して、切欠き部の直下に配置させればよく、このように配置された作業パレットを足場として切欠き部の直上に乗り込んだり、切欠き部の直上に装置部品を設置する作業が可能になる。これによりトラス装置の切欠き部の下方に形成されている機械室内のデッドスペースを、作業のために有効に活用することができる。
【０００８】
また本発明は、前記発明において、前記作業パレットを、前記切欠き部の下端部近傍において前記トラス装置に回動可能に連結する固定金具と、一端が前記作業パレットに連結され、他端が前記切欠き部を形成する前記トラス装置の傾斜部に連結され、前記作業パレットを水平状態に保持可能であるとともに、前記作業パレットを前記トラス装置内に収納するために回動させた際に、前記作業パレットの回動に伴って前記トラス装置内に収納可能な連結部材とを備えたことを特徴としている。
【０００９】
このように構成した本発明は、作業パレットをトラス装置に収納する際には、固定金具を回動支点として作業パレットを切欠き部方向に回動させることにより、この作業パレットを容易にトラス装置内に収納することができる。また、作業パレットをトラス装置から引き出して行なう作業時には、連結部材によって作業パレットを水平状態に保持させることができるので、作業パレットに乗り込む作業者の足場を安定した状態に保つことができる。
【００１０】
また本発明は、前記発明において、前記連結部材は、リンク機構、チェーン、及びプランジャのうちの１つから成ることを特徴としている。このように構成した本発明は、連結部材を簡単な構成とすることができ、実用性に富む。
【００１１】
また本発明は、前記発明において、前記トラス装置に、前記作業パレットを前記トラス装置内に収納するために回動させた際に、前記作業パレットを前記切欠き部を形成する前記トラス装置の傾斜部に沿って配置されるように、この作業パレットの前記回動を規制するストッパを設けたことを特徴としている。
【００１２】
このように構成した本発明は、作業パレットをトラス装置に収納するために作業パレットを切欠き部方向に回動させた際には、作業パレットをストッパに当たるまで回動させればよく、この作業パレットのトラス装置内における位置決めを容易に行なうことができ、また、切欠き部から作業パレットが突出しないように確実にトラス装置内に収納することができる。
【発明の効果】
【００１３】
本発明は、建屋梁に支持される支持部の近傍に、下方に向かうに従って対応する建屋梁から離れる方向に傾斜する切欠き部を有するトラス装置に接続され、このトラス装置の切欠き部直下の投影範囲内に配置可能であるとともに、トラス装置内に収納可能な作業パレットを設けたことから、乗客コンベアを吊り上げて建屋梁に据付ける際には、トラス装置の切欠き部から突出しないように、トラス装置内に作業パレットを収納させることによって、トラス装置と建屋梁との干渉を生じることなく乗客コンベアの据付けを支障なく行なうことができる。作業パレットはトラス装置の切欠き部直下の投影面積内に配置される形状寸法であることから、トラス装置内に確実に収納させることができる。
【００１４】
また、トラス装置の切欠き部の直上における作業時には、トラス装置内の作業パレットを切欠き部直下に配置することにより、この作業パレットを足場として切欠き部の直上に乗り込んだり、切欠き部の直上に装置部品を設置する作業が可能となり、これによってトラス装置の切欠き部の下方に形成される機械室内のデッドスペースを、作業のために有効活用させることができる。また、トラス装置の切欠き部の直上に係る作業を従来に比べて能率良く行なうことができる。
【発明を実施するための最良の形態】
【００１５】
以下，本発明に係る乗客コンベアを実施するための最良の形態を図に基づいて説明する。
【００１６】
図１は本発明に係る乗客コンベアの第１実施形態の要部を示す側面図、図２は図１の一部を拡大して示した斜視図、図３は本発明に係る乗客コンベアの第１実施形態の据付け時の状態を説明する側面図である。
【００１７】
本実施形態に係る乗客コンベアは、例えばエスカレータから成り、図３に示すようにトラス装置１を備えている。このトラス装置１は、一対の建屋梁２ａ，２ｂのそれぞれに支持される両端の支持部１ａ，１ｂのうちの少なくとも一方の支持部、例えば下トラス側の支持部１ｂの近傍に、対応する建屋梁２ｂから離れる方向に傾斜する切欠き部３が設けられている。
【００１８】
本実施形態に係る乗客コンベアは、図１，２に示すように、トラス装置１の切欠き部３直下の投影範囲内に配置可能であるとともに、トラス装置１内に収納可能な作業パレット５を備えている。
【００１９】
また、作業パレット５を、切欠き部３の下端部近傍においてトラス装置１に回動可能に連結するヒンジから成る一対の固定金具と、一端が作業パレット５に連結され、他端が切欠き部３を形成するトラス装置１の傾斜部に連結され、作業パレット５を水平状態に保持可能であるとともに、作業パレット５をトラス装置１内に収納するために回動させた際に、作業パレット５の回動に伴ってトラス装置１内に収納可能な一対の連結部材７とを備えている。
【００２０】
連結部材７のそれぞれは例えば、作業パレット５の両端部に配置される一対のリンク機構によって構成されている。これらのリンク機構のそれぞれは、一端がボルト等の軸体８ａを介して互いに接続され、相対的に回動可能なリンク部材７ａ，７ｂから成っている。リンク部材７ａの他端はボルト等の軸体８ｂを介して作業パレット５の側部に相対的に回動可能に連結され、リンク部材７ｂの他端はボルト等の軸体８ｃを介してトラス装置１の切欠き部３を形成する傾斜部の側部に相対的回動可能に連結されている。
【００２１】
また、トラス装置１の内部には、図１に示すように、作業パレット５をトラス装置１内に収納するために回動させた際に、作業パレット５を切欠き部３を形成するトラス装置１の傾斜部に沿って配置するように、この作業パレット５の回動を規制するストッパ９を設けてある。
【００２２】
このように構成した本実施形態に係る乗客コンベアを、図３に示すように、揚重機４によって吊り上げて建屋梁２ａ，２ｂに据付ける際には、図１の破線で示すように、連結部材７を構成するリンク部材７ａ，７ｂを折り畳むようにして作業パレット５を固定金具６を回動支点として回動させて、これらの作業パレット５と連結部材７とをトラス装置１内に収納することが行なわれる。このとき、作業パレット５は、トラス装置１に設けられたストッパ９に当たって回動が阻止される。すなわち、作業パレット９がトラス装置１内においてストッパ９によって位置決めされる。ここで、ボルト等から成るパレット固定具１０のそれぞれを、例えばトラス装置１の内部から作業パレット５の側部に形成した穴５ａと、トラス装置１の切欠き部３を形成する傾斜部の側部に形成した穴１ｃのそれぞれに挿入して、作業パレット５をトラス装置１の内部に固定することが行なわれる。この状態で図３に示すように、トラス装置１の支持部１ａを建屋梁２ａに係止させ、この支持部１ａを回動支点として揚重機４でトラス装置１の支持部１ｂを吊り上げ、この支持部１ｂを建屋梁２ｂに支持させるようにして、この本実施形態に係る乗客コンベアの据付けが行なわれる。
【００２３】
このように本実施形態に係る乗客コンベアのトラス装置１が建屋梁２ａ，２ｂに据付けられた状態において、トラス装置１の切欠き部３の直上に乗り込んだり、切欠き部３の直上に装置部品を設置しようとする作業を行なうときには、トラス装置１内に収納していた作業パレット５を引き出すように回動させて、切欠き部３の直下に配置させればよい。この間、連結部材７を構成するリンク部材７ａ，７ｂは折り畳まれた状態から伸ばされ、これによって作業パレット５は水平状態に保持される。このように水平状態に配置された作業パレット５を足場として切欠き部３の直上に乗り込んだり、切欠き部３の直上に装置部品を設置する作業が可能となる。
【００２４】
本実施形態に係る乗客コンベアによれば、この乗客コンベアを揚重機４で吊り上げて建屋梁２ａ，２ｂに据付ける際には、トラス装置１の切欠き部３から突出しないように、作業パレット５をトラス装置１内に収納させることによって、トラス装置１と建屋梁２ｂとの干渉を生じさせることなくこの乗客コンベアの据付けを支障なく行なうことができる。作業パレット５はトラス装置１の切欠き部３の直下の投影面積内に配置される形状寸法であることから、切欠き部３を形成する傾斜部の内部に確実に収納させることができる。
【００２５】
また、トラス装置１の切欠き部３の直上における作業時には、トラス装置１内の作業パレット５を切欠き部３の直下に配置させればよく、このように配置された作業パレット５を足場として切欠き部３の直上に乗り込んだり、切欠き部３の直上に装置部品を設置する作業が可能となる。これにより、トラス装置１の切欠き部３の下方に形成されている機械室内のデッドスペースを、作業のために有効活用させることができる。また、トラス装置１の切欠き部３の直上に装置部品を設置する作業を能率良く行なうことができる。
【００２６】
また、本実施形態によれば、作業パレット５をトラス装置１に収納する際には、固定金具６を回動支点として作業パレット５を切欠き部３方向に回動させることにより、この作業パレット５を容易にトラス装置１内に収納することができる。また、作業パレット５をトラス装置１から引き出して行なう作業時には、リンク機構を構成する連結部材７によって作業パレット５を水平状態に保持させることができるので、作業パレット５に乗り込む作業者の安定した姿勢を確保でき、作業能率の向上に貢献する。
【００２７】
また、作業バレット５を水平状態に保持可能な連結部材７を、リンク部材７ａ，７ｂから成るリンク機構によって構成したので、簡単な構成にすることができる。
【００２８】
さらに、作業パレット５をトラス装置１に収納させるために作業パレット５を切欠き部３方向に回動させる際には、作業パレット５をストッパ９に当たるまで回動させればよく、この作業パレット５のトラス装置１内における位置決めを容易に行なうことができ、また、切欠き部３から作業パレット５が突出しないように確実にトラス装置１内に収納させることができる。
【００２９】
図４は本発明の第２実施形態の要部を示す側面図、図５は本発明の第３実施形態の要部を示す側面図、図６は本発明の第４実施形態の要部を示す側面図である。
【００３０】
図４に要部を示す本発明の第２実施形態に係る乗客コンベアは、リンク機構を構成する連結部材が、長穴を形成する取付け穴２を有するリンク部材１１から成っており、作業パレット５の側部に設けた突起部５ｂが、リンク部材１１の取付け穴１２内を移動可能になっている。その他の構成は第１実施形態と同じである。このように構成したものも、作業パレット５及びリンク部材１１をトラス装置１内に収納させた状態で、この乗客コンベアの吊り上げ、据付け作業を行なうことができる。また、据付けられた乗客コンベアのトラス装置１の切欠き部３の直上に係る作業時には、トラス装置１から作業パレット５を引き出して、この作業パレット５をリンク部材１１によって水平状態に保持し、作業パレット５を足場にして所望の作業を行なうことができ、第１実施形態と同等の効果が得られる。
【００３１】
図５に要部を示す本発明の第３実施形態に係る乗客コンベアは、第１，第２実施形態におけるリンク機構によって構成される連結部材７等に代えて、一端が作業パレット５の側部に接続され、他端がトラス装置１の切欠き部３の傾斜部の側部に接続されるチェーンから成る連結部材１３を設けた構成にしてある。その他の構成は第１実施形態と同じである。このように構成したものも、作業パレット５、及びチェーンから成る連結部材１３をトラス装置１内に収納させた状態で、この乗客コンベアの吊り上げ、据付け作業を行なうことができ、また、据付けられた乗客コンベアのトラス装置１の切欠き部３の直上に係る作業時には、トラス装置１から作業パレット５を引き出して、この作業パレット５をチェーンから成る連結部材１３によって水平状態に保持し、作業パレット５を足場にして所望の作業を行なうことができ、第１実施形態と同等の効果が得られる。
【００３２】
図６に要部を示す本発明の第４実施形態に係る乗客コンベアは、プランジャから成る連結部材１４を設けた構成にしてある。この連結部材１４を構成するプランジャは、そのロッドの先端部が作業パレット５の側部に相対的回動可能に連結され、シリンダの下端部がトラス装置１の切欠き部３の側部に相対的に回動可能に連結されている。その他の構成は第１実施形態と同じである。このように構成したものも、作業パレット５、及びプランジャから成る連結部材１４をトラス装置１内に収納させた状態で、この乗客コンベアの吊り上げ、据付け作業を行なうことができ、また、据付けられた乗客コンベアのトラス装置１の切欠き部３の直上に係る作業時には、トラス装置１から作業パレット５を引き出して、この作業パレット５をプランジャから成る連結部材１３によって水平状態に保持し、作業パレット５を足場にして所望の作業を行なうことができ、第１実施形態と同等の効果が得られる。
【図面の簡単な説明】
【００３３】
【図１】本発明に係る乗客コンベアの第１実施形態の要部を示す側面図である。
【図２】図１の一部を拡大して示した斜視図である。
【図３】本発明に係る乗客コンベアの第１実施形態の据付け時の状態を説明する側面図である。
【図４】本発明の第２実施形態の要部を示す側面図である。
【図５】本発明の第３実施形態の要部を示す側面図である。
【図６】本発明の第４実施形態の要部を示す側面図である。
【符号の説明】
【００３４】
１    トラス装置
１ａ  支持部
１ｂ  支持部
１ｃ  穴
２ａ  建屋梁
２ｂ  建屋梁
３    切欠き部
４    揚重機
５    作業パレット
５ａ  穴
５ｂ  突起
６    固定金具
７    連結部材
７ａ  リンク部材
７ｂ  リンク部材
８ａ  軸体
８ｂ  軸体
８ｃ  軸体
９    ストッパ
１０  パレット固定具
１１  リンク部材（連結部材）
１２  取付け穴
１３  連結部材
１４  連結部材
【図１】
2009234733.tif 000003
【図２】
2009234733.tif 000004
【図３】
2009234733.tif 000005
【図４】
2009234733.tif 000006
【図５】
2009234733.tif 000007
【図６】
2009234733.tif 000008